(57)【特許請求の範囲】
【請求項１】
第１可動物及び第２可動物を支持する支持部材と、
該支持部材に対して左右方向に移動しつつ前後方向に移動する第１可動物と、
該第１可動物に連結された第１連結部と、該支持部材に連結された第２連結部と、を有する第２可動物と、
該第１可動物を駆動する駆動手段と、を有する可動物ユニットであって、
該第１連結部は、該第１可動物に対して回転自在に連結されており、該第１可動物と共に左右方向に移動しつつ前後方向に移動するように構成されており、
該第２連結部は、該支持部材に対して回転自在に連結されており、
該第２可動物は、該第１連結部の移動に伴って該支持部材に対して回転しつつ左右方向に移動するように構成されている、可動物ユニット。
【請求項２】
前記支持部材には、前記第１可動物を左右方向に移動させつつ前後方向にスライド移動させるガイド部材が設けられており、
前記第１可動物は、該ガイド部材に沿って前面の角度を維持しつつ直線状にスライド移動する、請求項１に記載の可動物ユニット。
【請求項３】
遊技を実現する遊技盤と、
該遊技盤に装着され、該遊技の演出画像を表示する画像表示装置と、
該遊技盤を保持する遊技機枠と、
上記請求項１又は請求項２に記載の可動物ユニットと、を有する遊技機であって、
前記可動物ユニットは、前記画像表示装置の左側面及び右側面の前方を覆うように配置されている、遊技機。
【発明の詳細な説明】
【技術分野】
【０００１】
本発明は、可動物ユニット及び遊技機に関し、特に前後方向に移動する可動物を有する可動物ユニットに関する。
【背景技術】
【０００２】
パチンコ機においては、弾球された遊技球が遊技領域（遊技盤面上又はその近傍に形成された領域であって、遊技球の流下による遊技や演出を実現するための領域。）を流下して、その流下の過程で遊技球が遊技領域内の遊技釘（ゲージともいう。）や風車に衝突しつつ転回して流下方向が変化する。その結果、遊技領域上に配置された各種入賞口に遊技球が入賞すれば所定の景品球払出しがされ、一方いずれの入賞口にも入賞せずアウト口に遊技球が流入すれば景品球払出しはされない。遊技者は、弾球における自らの技量を発揮して、又は遊技球の流下における偶然性を利用しつつ遊技球の入賞及び景品球払出しを期待し、遊技を楽しむのである。
【０００３】
遊技球の流下に基づく遊技を実現する遊技領域には、遊技球が入球する入球口を有する入賞装置や、遊技状態等を表示する表示装置や、可動物を有する可動物ユニット等、種々の部材が配置されている。表示装置や可動物ユニット等によって演出を実行することにより、遊技者の興味をひきつけることができる。例えば、このような可動物ユニットを有する遊技機として、表示部の前方に配置された可動部材を有し、この可動部材を上下方向又は左右方向に移動して遊技者の興趣を高めるように構成された遊技機が提供されている（例えば、特許文献１及び特許文献２参照）。
【先行技術文献】
【特許文献】
【０００４】
【特許文献１】特開２００４−３５０９８８号公報
【特許文献２】特開２００８−７９７２６号公報
【発明の概要】
【発明が解決しようとする課題】
【０００５】
特許文献１に記載の遊技機は、画像を表示する表示手段と、表示手段の手前に開閉自在に設けられ、閉鎖時に表示手段の表示画面を遮蔽する扉体（可動部材）と、扉体を開閉する駆動手段と、を備えた遊技機である。この遊技機は、表示手段の手前において扉体を左右方向に移動させて、遊技者が表示手段を視認できる状態と表示手段を視認できない状態とを実現することができる。しかし、扉体は、表示装置の手前で左右方向にスライド移動するのみであり、迫力のある立体的な動作を実現することができなかった。
【０００６】
また、特許文献２に記載の遊技機は、液晶表示部の前方であって遊技者から表示内容を隠す出現位置と、表示内容をほとんど隠さない退避位置と、の間で移動可能な可動部材を備えた遊技機である。この遊技機は、液晶表示部の手前において可動部材を左右方向及び上下方向に移動させて、液晶表示部の表示内容をほとんど隠さない状態と表示内容を隠す状態とを実現することができる。しかし、可動部材は、液晶表示部の手前で左右方向及び上下方向にスライド移動するのみであり、迫力のある立体的な動作を実現することができなかった。
【０００７】
本発明は、上記の事情に鑑みて為されたものであり、遊技者に対して前後方向（奥行方向）に移動して、迫力のある立体的な動作を実現することができる可動物ユニット及び可動物ユニットを有する遊技機を提供することを例示的課題とする。
【課題を解決するための手段】
【０００８】
上記の課題を解決するために、本発明の例示的側面としての可動物ユニットは、第１可動物及び第２可動物を支持する支持部材と、支持部材に対して左右方向に移動しつつ前後方向に移動する第１可動物と、第１可動物と連結された第１連結部と、支持部材に連結された第２連結部と、を有する第２可動物と、第１可動物を駆動する駆動手段と、を有しており、第１連結部は、第１可動物に対して回転自在に連結されており、第１可動物の移動に伴って左右方向に移動しつつ前後方向に移動するように構成されており、第２連結部は、支持部材に対して回転自在に連結されており、第２可動物は、第１連結部の移動に伴って支持部材に対して回転しつつ左右方向に移動するように構成されている。
【０００９】
可動物ユニットは、支持部材に対して移動される第１可動物と第２可動物とを有する。第１可動物は、駆動手段によって支持部材に対して左右方向に移動しつつ前後方向に移動する。遊技者に対して前後方向に第１可動物が移動することにより、立体的な動作を実現して迫力のある演出効果を発揮することができる。
【００１０】
また、第２可動物は、第１可動物に連結された第１連結部と、支持部材に連結された第２連結部と、を備えている。第１連結部は、第１可動物の移動に伴って、第１可動物と共に左右方向に移動しつつ前後方向に移動する。また、第２連結部は、支持部材に対して回転しつつ左右方向に移動する。第２可動物は、遊技者に対する角度を変化させつつ、その一端（第１連結部）が奥行方向に移動する。したがって、第２可動物によっても、立体的な動作を実現して、迫力のある演出効果を発揮することができる。
【００１１】
また、第２可動物は、第１可動物に伴って移動するように構成されており、１つの駆動手段によって第１可動物を駆動させるのみで、第１可動物及び第２可動物によって異なる動作を実現することが可能となる。駆動手段を複数設ける構成と比較して、電気的負荷の軽減を図ることができ、かつスペース効率を向上させることができる。
【００１２】
なお、本発明における上下方向及び左右方向は、可動物ユニットが遊技機に取り付けられた状態において、遊技機の正面にいる遊技者から視認した方向であるが、可動物ユニットが遊技機に対して傾斜して配置されている構成においては、遊技者から視認した方向に限られず、可動物ユニットの上面を上方とする方向も含む概念である。
【００１３】
支持部材には、第１可動物を左右方向に移動させつつ前後方向にスライド移動させるガイド部材が設けられており、第１可動物は、ガイド部材に沿って前面の角度を維持しつつ直線状にスライド移動するように構成してもよい。
【００１４】
支持部材にガイド部材を設け、ガイド部材に沿わせて第１可動物を移動することにより、第１可動物を円滑にスライド移動することができ、かつ移動の前後における位置ずれを防止することができる。更に、第１可動物は、前面の角度を維持しつつ移動するため、第１可動物が前後方向に移動する演出効果を発揮したり、第１可動物自体は移動しておらず第１可動物の周囲があたかも前後方向に移動するような擬似的な錯覚効果を遊技者に対して与えたり、種々の演出効果を発揮することができる。なお、前面とは、遊技者に対向する（遊技者と向かい合う）面であり、パチンコ機の正面と略平行な面である。
【００１５】
更に、第２可動物は遊技者に対する角度を変化させつつ移動され、第１可動物は遊技者に対する角度を変化させずに移動されるため、２つの可動物によって異なる動作を実現することができ、単に第１可動物のみがスライド移動する構成と比較して、第２可動物の回転移動によって第１可動物の前後方向の移動をより引き立たせることが可能となる。
【００１６】
また、本発明の他の例示的な側面としての遊技機は、遊技を実現する遊技盤と、遊技盤に装着され、遊技の演出画像を表示する画像表示装置と、遊技盤を保持する遊技機枠と、上記に記載の可動物ユニットと、を有しており、第１可動物及び第２可動物は、画像表示装置の左側面及び右側面の前方を覆うように配置されている。
【００１７】
この遊技機によれば、第１可動物と第２可動物とによって立体的な迫力のある演出を実現することができる。更に、第１可動物と第２可動物とが画像表示装置の右側面及び左側面の前方に夫々配置されているため、例えば、画像表示装置の前方に第１可動物等を配置し、第１可動物等の位置に応じて画像表示装置の映像を連動させた演出を実現することができる。画像表示装置の映像との組合せによって更に変化に富んだ複雑な演出を実現して、遊技者を飽きさせずに遊技者の興趣を高めることができる。
【００１８】
また、移動の前後において遊技者に対する角度が変化しないように第１可動物を移動させることにより、第１可動物によって挟まれた画像表示装置自体があたかも前後に移動しているような擬似的な錯覚を遊技者に与えることができる。更に、画像表示装置の左側方に配置された第１可動物及び第２可動物を右後方に向けて移動させ、かつ画像表示装置の右前方に配置された第１可動物と第２可動物とを左後方に向けて移動させるように構成することにより、画像表示装置の中心に向かって第１可動物及び第２可動物が移動した状態と、画像表示装置から離間する方向に第１可動物及び第２可動物が移動した状態と、を実現し、画像表示装置自体のサイズが変化しているような擬似的な錯覚を遊技者に与えることができる。
【００１９】
なお、遊技盤とは、遊技機における遊技を実現するものであり、例えば、遊技球の流下による遊技を実現するものである。また、画像表示装置は、液晶表示装置、有機ＥＬディスプレイ・ＬＥＤ等、文字や画像を表示して演出効果を発揮できるものであればよい。更に、遊技機枠とは、遊技盤を内包する枠部材又は枠部材の集合体であって、遊技盤の側方や前方を囲むためのものである。例えば、遊技盤を内包する外枠、前枠又は前面枠若しくはこれらの組合せ等が遊技機枠に該当する。
【００２０】
本発明の更なる目的又はその他の特徴は、以下添付図面を参照して説明される好ましい実施の形態によって明らかにされるであろう。
【発明の効果】
【００２１】
本発明によれば、第１可動物を左右方向に移動させつつ前後方向に移動させ、第２可動物を回転させつつ（遊技者に対する角度を変化させつつ）前後方向に移動させることができ、複数の可動物を異なる動きで前後方向に移動させて、立体的な迫力のある演出を実現することができる。
【００２２】
また、画像表示装置の左側面及び右側面の前方に可動物ユニットを配置することにより、画像表示装置の中心に向かって第１可動物及び第２可動物が移動した状態と、画像表示装置から離間する方向に第１可動物及び第２可動物が移動した状態と、を実現して、可動物ユニットによって挟まれた画像表示装置自体があたかも前後に移動しているような擬似的な錯覚を遊技者に与えたり、画像表示装置自体のサイズが変化しているような擬似的な錯覚を遊技者に与えたりして、従来にない斬新な演出効果を発揮することができる。
【図面の簡単な説明】
【００２３】
【図１】本発明の実施の形態に係るパチンコ機の正面図である。
【図２】図１に示すパチンコ機の背面図である。
【図３】図２に示すセンター役物の裏ユニットを示す正面図である。（ａ）は、看板役物、下部役物及び可動物ユニットが初期位置の状態を示しており、（ｂ）は、看板役物、下部役物及び可動物ユニットが移動した後の状態を示している。
【図４】右前方から視認した左可動物ユニットの分解斜視図である。
【図５】左後方から視認した左可動物ユニットの分解斜視図である。
【図６】右前方から視認した左可動物ユニットの斜視図である。（ａ）は左可動物ユニットが初期位置の状態を示しており、（ｂ）は左可動物ユニットが移動した後の状態を示している。
【図７】左可動物ユニットの平面図である。（ａ）は左可動物ユニットが初期位置の状態を示しており、（ｂ）は左可動物ユニットが移動した後の状態を示している。
【図８】左可動物ユニットの右側面図である。（ａ）は左可動物ユニットが初期位置の状態を示しており、（ｂ）は左可動物ユニットが移動した後の状態を示している。
【図９】左可動物ユニットの駆動機構を示した斜視図である。（ａ）は左可動物ユニットが初期位置の状態を示しており、（ｂ）は左可動物ユニットが移動した後の状態を示している。
【図１０】左可動物ユニットの駆動機構を示した平面図である。（ａ）は左可動物ユニットが初期位置の状態を示しており、（ｂ）は左可動物ユニットが移動した後の状態を示している。
【発明を実施するための形態】
【００２４】
以下、本発明の実施の形態について図面を用いて説明する。図１は、本発明の実施の形態に係る遊技機としてのパチンコ機２の正面図である。このパチンコ機２は、遊技機枠３、遊技盤ユニット５、ガラス１０、発射ユニット（図示せず）、球皿１４を有している。発射ユニットは、１個ずつ遊技球２３を遊技盤ユニット５に構成される遊技領域１６に向けて発射可能である。
【００２５】
パチンコ機２は、アレンジボール機、雀遊技球機等の組合せ式パチンコ機、いわゆるデジパチタイプ（１種タイプ）やハネモノタイプ（２種タイプ）のパチンコ機等のあらゆるパチンコ機が概念できるが、本実施の形態においては、デジパチ遊技（１種遊技、図柄変動遊技ともいう。）を実現するいわゆる１種タイプのパチンコ機について例示説明する。図柄変動遊技については後述する。
【００２６】
パチンコ機２の遊技機枠３は、後述する遊技盤ユニット５を保持するためのもので、このパチンコ機２の周囲及び前方又はそれに加えて後方を囲むように構成される。遊技機枠３の内部には、遊技盤ユニット５の他にも各種電子基板や遊技球用の経路等各種機構部品が配置され、遊技機枠３によって周囲側面及び前面又はそれに加えて後方からのパチンコ機２内部への不正アクセスが防止されるようになっている。
【００２７】
例えば、パチンコ機２の周囲を囲む外枠４、その内側にヒンジ２２によって前方開閉可能に揺動支持されて遊技盤ユニット５を保持する前枠９、前枠９の前方にヒンジ２２によって前方開閉可能に揺動支持されてガラス１０とその周囲を装飾する装飾部材３２とを保持するガラス枠１２とを有して遊技機枠３が構成される。
【００２８】
ガラス１０は、遊技盤６に対して一定距離以上離間して配置され、パチンコ機２の前方を覆い、内部に保持された遊技盤６を前方から遊技者が視認することができるようにするための透明部材である。ガラス１０は２枚の透明平板ガラスで形成されてガラス枠１２の裏面側に保持され、遊技盤６との間に遊技球２３が流下する流下空間を形成する機能、遊技者がガラス１０を通して遊技盤６を視認できるように視認性を確保する機能、遊技者が遊技盤６に不正にアクセス（接触）できないように不正アクセスを防止する機能、を発揮する。
【００２９】
球皿１４は、遊技者の持ち球を貯留するためにパチンコ機２の前面に配置された皿部材であって、本実施の形態においては上球皿１４ａと下球皿１４ｂとを有している。上球皿１４ａは、球抜き部材１４ｃを有して遊技盤６の下方、すなわちガラス枠１２の下方部分に配置され、下球皿１４ｂは、その上球皿１４ａの更に下方に配置されている。
【００３０】
発射ユニットは、遊技球供給装置（図示せず）によって球皿１４の一部としての上球皿１４ａから発射位置に送り出された遊技球２３を、遊技領域１６の上部に向けて発射（弾球）するためのものである。発射ユニットは、例えば発射位置の遊技球２３を弾球する発射杆、その発射杆を駆動する発射モータ、発射杆を付勢して弾球力を発生させる発射バネ等を有してユニット構成され、前枠９に取り付けられている。その発射ユニットによる球発射のため、遊技者の操作に基づいて球発射のオンオフ及びその発射強度調整を実現する発射装置ハンドル１５がパチンコ機２の前面下方に設けられている。
【００３１】
遊技盤ユニット５は、表面側の略中央にセンター役物７が配置された遊技盤６を有しており、その遊技盤６には多数の遊技釘２７も配置されている。遊技盤６は、その表面側に遊技球２３の流下による遊技を実現するための遊技領域１６を構成するための盤状部材であり、遊技盤６を前方から遊技者にとって視認可能となるように遊技機枠３（本実施の形態においては、遊技機枠３の一部としての前枠９。）に保持されている。その遊技盤６の表面には略円形状に周囲を囲むようにレール飾り２６が取り付けられており、レール飾り２６の外レール２６ａが遊技盤に対して立設するように配置されている。そして、レール飾り２６の外レール２６ａによって画定され、外レール２６ａに面した略円形状の領域が遊技領域１６となっている。
【００３２】
遊技釘２７は、遊技領域１６を流下する遊技球２３と衝突してその流下方向を変更させる流下変更部材であり、多数が遊技領域１６内に配置されている。また、遊技領域１６には、普通入賞口２８、始動入賞口２９、大入賞口３１等の入球部材及びアウト口３０が配置されている。更に、遊技領域１６には、ゲート３３、風車３４等が配置されており、流下する遊技球２３が各入球部材に流入したり、ゲート３３を通過したり、風車３４を回転させたりすることによって、遊技球２３による流下遊技を楽しむことができるようになっている。
【００３３】
センター役物７は、図柄変動遊技を実現するものである。センター役物７は、遊技盤６の表側に配置される表ユニット７ｅと、遊技盤６の裏側に配置される裏ユニット７ｆと、によって構成されており、表ユニット７ｅと裏ユニット７ｆによって前後方向において遊技盤６を挟んで配置される。表ユニット７ｅは、装飾効果を発揮する装飾部分から構成されており、裏ユニット７ｆには、後述する可動物ユニット５０等各種遊技部分が配置されている。
【００３４】
図３は、センター役物７の裏ユニット７ｆの正面図であり、（ａ）は、看板役物４０、下部役物４１及び可動物ユニット５０が初期位置の状態であり、（ｂ）は、看板役物４０、下部役物４１及び可動物ユニット５０が移動した後の状態を示している。センター役物７の中央部には、演出表示装置（画像表示装置）７ａが配置されると共に、この演出表示装置７ａの表示部７ｂを露出させるための表示開口部７ｄが形成されている。表示開口部７ｄの中央上部には、上下方向に駆動する看板役物４０が設けられており、中央下部には、上下方向に駆動する下部役物４１が設けられている。また、表示開口部７ｄの左側方及び右側方（演出表示装置７ａの左側面及び右側面の前方）には、可動物ユニット５０が設けられている。可動物ユニット５０については後述する。
【００３５】
演出表示装置７ａは、例えば、液晶表示装置・有機ＥＬディスプレイ・ＬＥＤ等により構成されて遊技者が遊技盤面６ａ側から視認可能となるように配置され、その表示部７ｂ上に映像表示を行うものである。この演出表示装置７ａの表示部７ｂには、始動入賞口２９への入球を契機として実行される抽選結果を視覚的に演出するための表示図柄が表示される。また、例えば、キャラクター等によるストーリー仕立ての映像としての演出映像も表示部７ｂ上に表示されるようになっている。演出表示装置７ａには、遊技制御手段としての演出制御基板が中継基板を介して電気的に接続されており、演出制御基板によって画像表示が制御される。
【００３６】
遊技盤６の裏面側には、パチンコ機２の全体の制御を行う遊技制御手段としての主制御基板（図示せず）を収容した主制御基板ケース３５と、演出表示装置７ａの画像表示や可動物ユニット５０の駆動制御等の演出制御を行う演出制御基板（図示せず）を収容した演出制御基板ケース３６と、賞球の払出しを制御する払出制御基板（図示せず）を収容した払出制御基板ケース３７と、電源基板（図示せず）を収容した電源基板ケース３８と、が配置されている。この各制御基板ケースに収容された各制御基板によって遊技が実現される。更に、遊技盤６の裏面側には、パチンコ機２の遊技状態等の遊技情報を外部に出力するための外部出力端子板３９が設けられている。
【００３７】
図示しない球発射装置により遊技球２３が発射されると、遊技球２３はレール飾り２６の外レール２６ａに沿いつつ進行して遊技領域１６内の上部に至る。その後、遊技球２３は、複数の通過軌跡に沿って移動し、あるものはレール飾り２６の外レール２６ａに沿って右側に移動し、あるものは遊技釘２７に衝突しつつ遊技領域１６内を下方に流下し、あるものは普通入賞口２８に流入して一定数の賞球の払出契機となり、あるものはいずれの入球装置にも流入せずに遊技領域１６内最下部に位置するアウト口３０に流入してアウト球としてパチンコ機２の外部側へと排出される。
【００３８】
図柄変動遊技中に遊技球２３が始動入賞口２９に流入すると、その流入に起因して演出表示装置７ａの表示図柄７ｃが回転表示（第１の特別遊技の抽選）を開始し、その表示図柄７ｃが所定の図柄（例えば、「７・７・７」。）で停止表示すれば、図柄変動遊技における大当り（第１の特別遊技。以下、図柄変動大当りという。）が発生する。そして、大入賞口３１が開放して多量の入賞球を受け入れ、多量の賞球が球皿１４へと払い出されるようになっている。
【００３９】
次いで、図４から図１０に基づいてセンター役物７に設けられた可動物ユニット５０について詳細に説明する。可動物ユニット５０は、演出表示装置７ａの左側面の前方に配置された左可動物ユニット５０ａと、演出表示装置ａの右側面の前方に配置された右可動物ユニット５０ｂと、を有する。左可動物ユニット５０ａと右可動物ユニット５０ｂとは、演出表示装置７ａの左右方向における中央を中心として対称の形状及び動作であり、本実施の形態では、左可動物ユニット５０ａを例示して詳細に説明する。
【００４０】
なお、可動物ユニット５０による演出は、主制御基板が動作を決定し、決定した動作に基づいて演出制御基板に対して制御信号を送ることにより実行される。演出制御基板は、主制御基板から送られた制御信号に基づいて、駆動手段としてのモータ５４に対して所定のステップ信号を送る。これによりモータ５４が回転し、可動物ユニット５０が動作するように構成されている。
【００４１】
図４及び図５は、センター役物７から取り外した状態の左可動物ユニット５０ａを示した図であり、図４は、右前方から視認した左可動物ユニット５０ａの分解斜視図であり、図５は、左後方から視認した左可動物ユニット５０ａの分解斜視図である。左可動物ユニット５０ａは、第１可動物としての平板部材５１と、第２可動物としての第１爪部材５２と、平板部材５１と第１爪部材５２を移動自在に支持する支持部材５５と、支持部材５５に固定された第２爪部材５３と、平板部材５１を駆動する駆動手段としてのモータ５４と、平板部材５１の位置を検出する検出センサ５８と、を有する。
【００４２】
支持部材５５は、平板部材５１の上方、下方、及び左方において平板部材５１を各々支持する上支持部材５５ａ、下支持部材５５ｂ、及び左支持部材５５ｃを備えている。平板部材５１は、上支持部材５５ａ、下支持部材５５ｂ、及び左支持部材５５ｃに対して移動自在に各々接続されている。このように、平板部材５１を複数の支持部材５５によって複数箇所で支持することにより、位置ずれを防止しつつ比較的大型の平板部材を円滑に移動することができる。
【００４３】
左可動物ユニット５０ａの平板部材５１及び第１爪部材５２は、支持部材５５に対して移動されるように構成されている。図６から図１０は、左可動物ユニット５０ａの移動前（前端位置）の状態と、移動後（後端位置）の状態と、を示している。図６は、左可動物ユニット５０ａを右前方から視認した斜視図であり、図７は、左可動物ユニット５０ａの上面を覆うカバー部材６０及びモータ５４を外した状態の左可動物ユニット５０ａの平面図である。図８は、左可動物ユニット５０ａの右側面図である。図９は、左可動物ユニットの駆動機構を示した斜視図であり、図１０は、左可動物ユニット５０ａの駆動機構を示した平面図である。
【００４４】
図４及び図５に示すように、平板部材５１は、演出表示装置７ａの表面と略平行に配置された平板本体５１ａと、平板本体５１ａの上端に接続され、上支持部材５５ａを挟んで配置される上挟持部５１ｂと、上支持部材５５ａに形成された上ガイド穴部（ガイド部材）５５ｄに挿入される上ガイドローラ５１ｃと、上ガイドローラ５１ｃの近傍に配置され、上挟持部５１ｂの移動を補助する補助ローラ（図示せず）と、第１爪部材５２と連結される第１平板軸部５１ｅと、左支持部材５５ｃと連結される第２平板軸部５１ｆと、平板本体５１ａの下端に接続され、下支持部材５５ｂを挟んで配置される下挟持部５１ｇと、下支持部材５５ｂに形成された下ガイド穴部（ガイド部材）５５ｅに挿入される下ガイドローラ５１ｈと、を備える。
【００４５】
まず、平板部材５１と上支持部材５５ａとの接続部分について説明する。上支持部材５５ａには、平板部材５１のスライド移動をガイドする上ガイド穴部５５ｄが形成されている。上ガイド穴部５５ｄの上方には、上挟持部５１ｂが配置されている。上挟持部５１ｂと平板本体５１ａとは上下方向において上支持部材５５ａを挟んで配置されており、平板部材５１は、上支持部材５５ａを挟んだ状態で前後方向に移動する。
【００４６】
上ガイド穴部５５ｄを構成する壁面には、平板本体５１ａの上面に回転可能に連結された上ガイドローラ５１ｃの外周面が当接している。上ガイドローラ５１ｃは、前後方向に離間して２つ設けられており、平板部材５１が移動する際は、上ガイドローラ５１ｃが上ガイド穴部５５ｄに対して摺動するように構成されている。このように前後方向に離間した複数の上ガイドローラ５１ｃを設けることにより、遊技者に対する平板本体５１ａの前面の角度を維持しつつ平板部材５１を斜め前後方向にスライド移動することができる。
【００４７】
更に、上ガイドローラ５１ｃの左方と右方には、平板部材５１の上下方向の歪みや平板部材５１の傾きを防止するための補助ローラ（図示せず）が設けられている。補助ローラの外周面は、上挟持部５１ｂの下面と上支持部材５５ａの上面とに当接するように配置されている。上ガイドローラ５１ｃの側方に補助ローラを設けることにより、移動する過程における平板部材５１の傾きや歪みを更に効果的に防止することが可能となる。
【００４８】
上挟持部５１ｂの上面には、上方に突出しする突起部５１ｋが形成されている（例えば、図７参照）。突起部５１ｋは、モータ５４の駆動力を平板部材５１に伝達する上アーム部材５６と接続されている。上アーム部材５６の一端（右端）には、モータ５４によって回転駆動されるギア５７と噛み合うラック部材５６ａが形成されており、上アーム部材５６の他端（左端）には、平板部材５１の突起部５１ｋの外形より大きい長穴部５６ｂが形成されており、突起部５１ｋは、長穴部５６ｂに回転自在に挿入されている。
【００４９】
図７（ａ）に示す状態において、モータ５４が駆動するとギア５７がＸ方向に回転する。ギア５７と噛み合う上アーム部材５６が図示するＹ方向に回転して、平板部材５１の突起部５１ｋが上アーム部材５６によって右後方向に押圧される。したがって、平板部材５１は、左前方に位置する前端位置から右後方に位置する後端位置に移動して（ｂ）に示す状態となる。
【００５０】
上支持部材５５ａの上面には、上挟持部５１ｂに設けられた突出片５１ｍの位置を検出する検出センサ５８が設けられている。検出センサ５８は、前端位置の突出片５１ｍを検出する前検出部５８ａと、後端位置の突出片５１ｍを検出する後検出部５８ｂと、からなる。各検出部は、光を投光する投光部と、投光部からの光を受光する受光部と、を備えており、投光部と受光部との間が遮られることにより、突出片５１ｍが投光部と受光部との間にあることを検出する。検出センサ５８が突出片５１ｍを検出すると、検出信号が主制御基板に送信され、主制御基板は、前端位置又は後端位置に平板部材５１があると判定するように構成されている。
【００５１】
次いで、平板部材５１と左支持部材５５ｃとの接続部分について説明する。平板部材５１と左支持部材５５ｃとの接続部分には、駆動手段が設けられておらず、上述する上支持部材５５ａに対する平板部材５１の移動に追従するように構成されている。図４及び図５に示すように、左支持部材５５ｃには、平板部材５１のスライド移動の回転軸となる支持軸部５９が設けられている。支持軸部５９は、上下方向に沿って配置されており、その上端と下端には、左平板部材５１の第２平板軸部５１ｆと連結された左アーム部材６１が連結されている。
【００５２】
図１０は、上支持部材５５ａ、上挟持部５１ｂ及び上ガイドローラ５１ｃを外した状態の左可動物ユニット５０ａの平面図である。図１０（ａ）に示す状態において、モータ５４が駆動すると、突起部５１ｋが右後方に押圧されて、左アーム部材６１が支持軸部５９を中心に図１０に示すＺ方向に回転する。平板部材５１は、遊技者に対する前面の角度を維持しつつ右後方にスライド移動する。
【００５３】
次いで、平板部材５１と下支持部材５５ｂとの接続部分について説明する。平板部材５１と下支持部材５５ｂとの接続部分には、駆動手段が設けられておらず、上述する上支持部材５５ａに対する平板部材５１の移動に追従するように構成されている。図４に示すように、下支持部材５５ｂには、平板部材５１のスライド移動をガイドする下ガイド穴部５５ｅが形成されている。下ガイド穴部５５ｅの下方には、下挟持部５１ｇが配置されている。下挟持部５１ｇと平板本体５１ａとは上下方向において下支持部材５５ｂを挟んで配置されており、平板部材５１は、下支持部材５５ｂを挟んだ状態で前後方向に移動する。
【００５４】
また、下ガイド穴部５５ｅを構成する壁面には、平板本体５１ａの下面に回転可能に連結された下ガイドローラ５１ｈの外周面が当接している。下ガイドローラ５１ｈは、上ガイドローラ５１ｃと同様に、前後方向に離間して２つ設けられている。このように前後方向に離間した複数の下ガイドローラ５１ｈを上ガイドローラ５１ｃと共に設けることにより、平板本体５１ａの上部と下部とのねじれを防止しつつ平板部材５１を斜め前後方向に移動させることができる。
【００５５】
このように、平板部材５１の上方のみに駆動手段を設ける構成においては、平板部材５１の上端の移動に伴って平板部材全体が追従して移動するため、移動する過程において平板部材５１のねじれが生じるおそれがある。しかし、上下方向に沿った支持軸部５９を設けたり、上ガイドローラ５１ｃ及び下ガイドローラ５１ｈを上ガイド穴部５５ｄ及び下ガイド穴部５５ｅに摺動させて平板部材５１を移動させたり、下挟持部５１ｇと平板本体５１ａとによって下支持部材５５ｂを挟むと共に上挟持部５１ｂと平板本体５１ａとによって上支持部材５５ａを挟んだ状態で平板部材５１を移動させたりすることにより、平板部材５１の傾きを防止しつつ平板部材５１全体を前後方向に移動することが可能となる。
【００５６】
また、第１爪部材５２は、上下方向に離間して３個設けられており、第１爪部材５２の間には、第２爪部材５３が配置されている。第２爪部材５３は、左支持部材に固定されており、平板部材５１や第１爪部材５２と共に移動しない。第１爪部材５２は、平板部材５１と連結された第１連結部５２ａと、左支持部材５５ｃと連結され第２連結部５２ｂと、を有しており、平板部材５１の移動に伴って回転しつつ左右方向に移動するように構成されている。図８に示すように、第１爪部材５２と第２爪部材５３の前面は、（ａ）に示す移動前の状態では略平行であるが、（ｂ）に示す移動後の状態では第１爪部材５２が回転しており異なる方向に向かって配置されている。
【００５７】
第１連結部５２ａは、平板部材５１の第１平板軸部５１ｅに挿入されており、平板部材５１に対して回転自在に連結されている。第１連結部５２ａは、平板部材５１と共に前端位置と後端位置とを移動する。一方、第２連結部５２ｂは、左支持部材５５ｃに形成された左右方向に伸びる爪ガイド穴部５５ｆ（例えば、図７参照）に挿入されており、左右方向に移動自在である。したがって、第１爪部材５２は、左支持部材５５ｃに対して回転しつつ左右方向に移動する。
【００５８】
このように構成された第１爪部材５２は、図１０に示すように、平板部材５１が前端位置から後端位置に向かって移動すると、第１連結部５２ａが平板部材５１と共に後端位置に向かって移動する。一方、第２連結部５２ｂは、平板部材５１が後端位置に移動しても前後方向に移動せず左右方向のみに移動する。第１爪部材５２の一端（第１連結部５２ａ）のみが後方に移動して、他端（第２連結部５２ｂ）が左右方向に移動するため、第１爪部材５２の前面は、遊技者に対して傾斜する。
【００５９】
このように、実施の形態１に係る可動物ユニット５０によれば、複数の可動物（例えば、平板部材５１及び第１爪部材５２）を前後方向に移動して、立体的な迫力のある演出を実現することができる。また、遊技者に対する前面の角度を維持しつつ平板部材５１を移動すると共に、遊技者に対する前面の角度を変化させつつ第１爪部材５２を移動することにより、複数の可動物によって異なる動作を実現して、バリエーションに富んだ演出を実現することができる。
【００６０】
また、演出表示装置７ａの左側面の前方を覆うように配置された左可動物ユニット５０ａを左前方に位置する前端位置から右後方に位置する後端位置に移動すると共に、右可動物ユニット５０ｂを右前方に位置する前端位置から左後方に位置する後端位置に移動することにより、可動物ユニット５０自体が前後方向に移動する演出効果のみならず、あたかも演出表示装置７ａが前方に飛び出すような演出表示装置７ａ自体が前後方向に移動するような擬似的な演出効果を発揮でき、更にバリエーションに富んだ演出を実現することができる。
【００６１】
加えて、演出表示装置７ａにおいて遠近感を表す映像を表示して、この映像と可動物ユニット５０の動作とを組み合わせることにより、更に効果的に立体感のある演出を実現することが可能となる。
【００６２】
以上、本発明の好ましい実施の形態を説明したが、本発明はこれらに限定されるものではなく、その要旨の範囲内で様々な変形や変更が可能である。例えば、本実施の形態では、可動物ユニット５０を画像表示装置の左方及び右方から演出表示装置７ａの内側に向けて移動するように構成しているが、例えば、左可動物ユニット５０ａ及び右可動物ユニット５０ｂの両方を左方から右方向に移動したり、右方から左方に移動したり、同方向に移動させて、可動物ユニット５０の移動方向と逆方向に演出表示装置７ａが移動しているような擬似的な演出効果を発揮するように構成してもよい。
【００６３】
加えて、可動物ユニット５０を演出表示装置７ａの左方及び右方に配置する構成に限られず、可動物ユニット５０を演出表示装置７ａの上方及び下方に配置して、演出表示装置７ａ自体が動いているような擬似的な演出効果を発揮するように構成してもよい。
【符号の説明】
【００６４】
２：パチンコ機（遊技機）
３：遊技機枠
４：外枠（遊技機枠の一部）
５：遊技盤ユニット
６：遊技盤
６ａ：遊技盤面
７：センター役物
７ａ：演出表示装置（画像表示装置）
７ｂ：表示部
７ｃ：表示図柄
７ｄ：表示開口部
７ｅ：表ユニット
７ｆ：裏ユニット
９：前枠（遊技機枠の一部）
１０：ガラス
１２：ガラス枠（遊技機枠の一部）
１４：球皿
１４ａ：上球皿
１４ｂ：下球皿
１４ｃ：球抜き部材
１５：発射装置ハンドル
１６：遊技領域
２２：ヒンジ
２３：遊技球
２６：レール飾り
２６ａ：外レール
２７：遊技釘
２８：普通入賞口
２９：始動入賞口
３０：アウト口
３１：大入賞口
３２：装飾部材
３３：ゲート
３４：風車
３５：主制御基板ケース
３６：演出制御基板ケース
３７：払出制御基板ケース
３８：電源基板ケース
３９：外部出力端子板
４０：看板役物
４１：下部役物
５０：可動物ユニット
５０ａ：左可動物ユニット
５０ｂ：右可動物ユニット
５１：平板部材（第１可動物）
５１ａ：平板本体
５１ｂ：上挟持部
５１ｃ：上ガイドローラ
５１ｅ：第１平板軸部
５１ｆ：第２平板軸部
５１ｇ：下挟持部
５１ｈ：下ガイドローラ
５１ｋ：突起部
５１ｍ：突出片
５２：第１爪部材（第２可動物）
５２ａ：第１連結部
５２ｂ：第２連結部
５３：第２爪部材
５４：モータ（駆動手段）
５５：支持部材
５５ａ：上支持部材
５５ｂ：下支持部材
５５ｃ：左支持部材
５５ｄ：上ガイド穴部（ガイド部材）
５５ｅ：下ガイド穴部（ガイド部材）
５５ｆ：爪ガイド穴部
５６：上アーム部材
５６ａ：ラック部材
５６ｂ：長穴部
５７：ギア
５８：検出センサ
５８ａ：前検出部
５８ｂ：後検出部
５９：支持軸部
６０：カバー部材
６１：左アーム部材
【図１】
0005511053.tif 000002
【図２】
0005511053.tif 000003
【図３】
0005511053.tif 000004
【図４】
0005511053.tif 000005
【図５】
0005511053.tif 000006
【図６】
0005511053.tif 000007
【図７】
0005511053.tif 000008
【図８】
0005511053.tif 000009
【図９】
0005511053.tif 000010
【図１０】
0005511053.tif 000011